(57)【要約】【課題】光源を高速にスイッチング可能な点灯回路を提供する。【解決手段】点灯回路２００は光源１０２の点消灯を制御する。駆動回路２０２は、光源１０２に供給すべき駆動電流ＩＤＲＶを生成する。クランプ回路２１０は、光源１０２を消灯すべき期間において、光源１０２の両端間電圧を、クランプレベルにクランプする。クランプレベルは、ゼロより大きく、光源１０２の点消灯のしきい値電圧より低く規定される。【選択図】図２
2018098165.tif 000002
【特許請求の範囲】
【請求項１】
光源の点灯回路であって、
前記光源に供給すべき駆動電流を生成する駆動回路と、
前記光源を消灯すべき期間において、前記光源の両端間電圧を、ゼロより大きく前記光源の点消灯のしきい値電圧より低く規定されるクランプレベルにクランプするクランプ回路と、
を備えることを特徴とする点灯回路。
【請求項２】
前記クランプ回路は、前記光源の消灯指示に応答して直ちに、前記光源の両端間電圧を実質的にゼロまで低下させ、その後、前記クランプレベルにクランプすることを特徴とする請求項１に記載の点灯回路。
【請求項３】
前記クランプ回路は、前記光源と並列な第１経路の上に、直列に設けられた第１スイッチおよびクランプ抵抗を含み、
前記第１経路の抵抗値をＲ１、前記光源のしきい値電圧をＶＴＨ、前記駆動電流をＩＤＲＶとするとき、
０＜Ｒ１×ＩＤＲＶ＜ＶＴＨ
を満たすことを特徴とする請求項１または２に記載の点灯回路。
【請求項４】
前記クランプ回路は、前記光源と並列な第１経路の上に設けられた第１スイッチを含み、
前記第１経路の抵抗値をＲ１、前記光源のしきい値電圧をＶＴＨ、前記駆動電流をＩＤＲＶとするとき、
０＜Ｒ１×ＩＤＲＶ＜ＶＴＨ
を満たすことを特徴とする請求項１または２に記載の点灯回路。
【請求項５】
前記クランプ回路は、前記光源と並列な第２経路の上に設けられた第２スイッチをさらに含み、
前記第２スイッチは、前記光源の消灯指示後、直ちにターンオンし、前記光源の点灯指示に先だってターンオフすることを特徴とする請求項１から４のいずれかに記載の点灯回路。
【請求項６】
前記クランプ回路は、
前記光源の両端間に設けられたシャントトランジスタと、
前記光源を消灯すべき期間において、前記光源の両端間の電圧が前記クランプレベルとなるように、前記シャントトランジスタの制御端子の電圧を生成するトランジスタ制御回路と、
を含むことを特徴とする請求項１または２に記載の点灯回路。
【請求項７】
前記トランジスタ制御回路は、フィードバックにより前記光源の両端間の電圧を前記クランプレベルに近づけるフィードバック回路を含むことを特徴とする請求項６に記載の点灯回路。
【請求項８】
前記トランジスタ制御回路は、前記シャントトランジスタの制御端子と高電位側の一端の間に設けられた定電圧回路を含むことを特徴とする請求項６に記載の点灯回路。
【請求項９】
前記トランジスタ制御回路は、前記シャントトランジスタの前記制御端子と前記光源の低電位側の一端の間、または前記シャントトランジスタの前記制御端子と所定のロー電圧が供給されるロー電圧端子の間に設けられた第３スイッチをさらに含むことを特徴とする請求項６または７に記載の点灯回路。
【請求項１０】
前記トランジスタ制御回路は、前記シャントトランジスタの前記制御端子と前記光源の高電位側の一端の間、または前記シャントトランジスタの前記制御端子と所定のハイ電圧が供給されるハイ電圧端子の間に設けられた第４スイッチをさらに含むことを特徴とする請求項６から８のいずれかに記載の点灯回路。
【請求項１１】
光源の点灯回路であって、
前記光源に供給すべき駆動電流を生成する駆動回路と、
前記光源と並列な第１経路の上に、直列に設けられた第１スイッチおよびクランプ抵抗と、
前記光源および前記第１経路と並列な第２経路の上に設けられた第２スイッチと、
前記第１スイッチおよび第２スイッチを制御するコントローラと、
を備えることを特徴とする点灯回路。
【請求項１２】
前記コントローラは、
前記光源の消灯期間において前記第１スイッチをオンし、前記光源の点灯期間において前記第１スイッチをオフし、
前記光源の消灯指示を契機として直ちに前記第２スイッチをターンオンし、前記光源の点灯指示に先立って前記第２スイッチをターンオフすることを特徴とする請求項１０に記載の点灯回路。
【請求項１３】
光源と、
前記光源を駆動する請求項１から１１のいずれかに記載の点灯回路と、
を備えることを特徴とする車両用灯具。
【請求項１４】
前記光源は複数であることを特徴とする請求項１２に記載の車両用灯具。
【発明の詳細な説明】
【技術分野】
【０００１】
本発明は、自動車などに用いられる灯具に関する。
【背景技術】
【０００２】
車両用灯具、プロジェクタ、液晶パネルのバックライト、照明装置、光通信技術などさまざまな用途に、ＬＤ（レーザダイオード）やＬＥＤ（発光ダイオード）などの光源が利用される。
【０００３】
図１は、従来の点灯回路の回路図である。点灯回路１１００は、駆動回路１１０２と、バイパススイッチ１１０４を備える。駆動回路１１０２は、光源１００２に所定量に安定化された駆動電流ＩＤＲＶを供給する。バイパススイッチ１１０４は、光源１００２と並列に接続されている。
【０００４】
バイパススイッチ１１０４がオフの状態では、駆動電流ＩＤＲＶが光源１００２に流れるため、光源１００２が発光する。バイパススイッチ１１０４がオンの状態では、駆動電流ＩＤＲＶがバイパススイッチ１１０４に流れるため、光源１００２は消灯する。したがってバイパススイッチ１１０４をスイッチングすることにより、光源１００２の点灯・消灯をスイッチングすることが可能となる。
【先行技術文献】
【特許文献】
【０００５】
【特許文献１】国際公開第２０１６／１０４３１９号
【発明の概要】
【発明が解決しようとする課題】
【０００６】
たとえば光源を、車両用灯具やバックライトとして使用する場合、光源１００２を、人間の目が知覚できない周波数でスイッチングし、デューティ比を変化させることによって調光が可能となる。一般的なＰＷＭ（Pulse Width Modulation）調光に使用されるスイッチング周波数は、数十Ｈｚからせいぜい数百Ｈｚのオーダーであり、図１の点灯回路１１００において実現可能である。
【０００７】
しかしながら、図１の点灯回路１１００では、数ｋＨｚより高い周波数で光源１００２をスイッチングさせることは難しい。
【０００８】
本発明はかかる状況においてなされたものであり、そのある態様の例示的な目的のひとつは、光源を高速にスイッチング可能な点灯回路の提供にある。
【課題を解決するための手段】
【０００９】
本発明のある態様は、光源の点灯回路に関する。点灯回路は、光源に供給すべき駆動電流を生成する駆動回路と、光源を消灯すべき期間において、光源の両端間電圧を、ゼロより高く、点消灯のしきい値電圧より低く規定されるクランプレベルにクランプするクランプ回路と、を備える。
【００１０】
点灯期間における光源の両端間電圧をＶＯＮ、クランプレベルをＶＣＬとする。この態様では、光源の消灯期間において両端間電圧は、クランプレベルＶＣＬにクランプされるため、消灯から点灯に切りかえる際の、両端間電圧の変化幅ΔＶは、ＶＯＮ−ＶＣＬとなる。ＶＣＬを点消灯のしきい値電圧ＶＴＨに近づけることで、消灯から点灯に切りかえる際の変動幅ΔＶを小さくでき、したがって光源を短い時間で点灯させることができる。また、駆動回路から見たときの負荷変動を小さくできるため、駆動回路の設計上の制約を緩和できる。
【００１１】
クランプ回路は、光源の消灯指示に応答して直ちに、光源の両端間電圧を実質的にゼロまで低下させ、その後、クランプレベルにクランプしてもよい。
これにより、光源の消灯指示後、光源を短時間で消灯することができる。
【００１２】
クランプ回路は、光源と並列な第１経路の上に、直列に設けられた第１スイッチおよびクランプ抵抗を含んでもよい。第１経路の抵抗値をＲ１、光源のしきい値電圧をＶＴＨ、駆動電流をＩＤＲＶとするとき、０＜Ｒ１×ＩＤＲＶ＜ＶＴＨを満たしてもよい。
【００１３】
クランプ回路は、光源と並列な第１経路の上に設けられた第１スイッチを含んでもよい。第１経路の抵抗値をＲ１、光源のしきい値電圧をＶＴＨ、駆動電流をＩＤＲＶとするとき、０＜Ｒ１×ＩＤＲＶ＜ＶＴＨを満たしてもよい。
【００１４】
クランプ回路は、光源と並列な第２経路の上に設けられた第２スイッチをさらに含んでもよい。第２スイッチは、光源の消灯指示後、直ちにターンオンし、光源の点灯指示に先だってターンオフしてもよい。
これにより、点灯から消灯への切りかえを高速にできる。
【００１５】
クランプ回路は、光源の両端間に設けられたシャントトランジスタと、光源を消灯すべき期間において、光源の両端間の電圧がクランプレベルとなるように、シャントトランジスタの制御端子の電圧を生成するトランジスタ制御回路と、を含んでもよい。
【００１６】
トランジスタ制御回路は、フィードバックにより光源の両端間の電圧をクランプレベルに近づけるフィードバック回路を含んでもよい。フィードバック回路とシャントトランジスタにより、いわゆるシャントレギュレータを構成することにより、光源の両端間の電圧をクランプできる。
【００１７】
トランジスタ制御回路は、シャントトランジスタの制御端子と高電位側の一端の間に設けられた定電圧回路を含んでもよい。
【００１８】
トランジスタ制御回路は、シャントトランジスタの制御端子と光源の低電位側の一端の間、またはシャントトランジスタの制御端子と所定のロー電圧が供給されるロー電圧端子の間に設けられた第３スイッチをさらに含んでもよい。第３スイッチをターンオンすることにより、シャントトランジスタを直ちにターンオフ（またはターンオン）することができ、光源を瞬時に点灯（消灯）させることができる。
【００１９】
トランジスタ制御回路は、シャントトランジスタの制御端子と光源の高電位側の一端の間、またはシャントトランジスタの制御端子と所定のハイ電圧が供給されるハイ電圧端子の間に設けられた第４スイッチをさらに含んでもよい。第４スイッチをターンオンすることにより、シャントトランジスタを直ちにターンオン（またはターンオフ）することができ、光源を瞬時に消灯（点灯）させることができる。
【００２０】
本発明の別の態様は、車両用灯具に関する。車両用灯具は、光源と、光源を駆動する上述のいずれかの点灯回路と、を備えてもよい。
【００２１】
なお、以上の構成要素の任意の組み合わせや本発明の構成要素や表現を、方法、装置、システムなどの間で相互に置換したものもまた、本発明の態様として有効である。
【００２２】
さらに、この項目（課題を解決するための手段）の記載は、本発明の欠くべからざるすべての特徴を説明するものではなく、したがって、記載されるこれらの特徴のサブコンビネーションも、本発明たり得る。
【発明の効果】
【００２３】
本発明のある態様によれば、光源を高速にスイッチングできる。
【図面の簡単な説明】
【００２４】
【図１】従来の点灯回路の回路図である。
【図２】実施の形態に係る点灯回路を備える照明装置のブロック図である。
【図３】光源のＩ／Ｖ特性を示す図である。
【図４】図２の点灯回路の動作波形図である。
【図５】図１の点灯回路の動作波形図である。
【図６】第２機能を備える点灯回路の動作波形図である。
【図７】図２の点灯回路の第１構成例の回路図である。
【図８】図２の点灯回路の第２構成例の回路図である。
【図９】図９（ａ）、（ｂ）は、図８のクランプ回路の具体的な構成例を示す回路図である。
【図１０】図１０（ａ）〜（ｅ）は、クランプ回路の変形例を示す回路図である。
【図１１】図２の点灯回路の第３構成例の回路図である。
【図１２】図１１のクランプ回路の第１構成例を示す回路図である。
【図１３】図１２のクランプ回路の動作波形図である。
【図１４】図１１のクランプ回路２１０Ｃの第２構成例を示す回路図である。
【図１５】図１５（ａ）〜（ｄ）は、点灯回路を備える車両用灯具を示す図である。
【図１６】図１６（ａ）、（ｂ）は、点灯回路を備える車両用灯具の回路図である。
【図１７】複数の光源を備える照明装置のブロック図である。
【発明を実施するための形態】
【００２５】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２６】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
【００２７】
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００２８】
また本明細書において、電圧信号、電流信号などの電気信号、あるいは抵抗、キャパシタなどの回路素子に付された符号は、必要に応じてそれぞれの電圧値、電流値、あるいは抵抗値、容量値を表すものとする。
【００２９】
図２は、実施の形態に係る点灯回路２００を備える照明装置１００のブロック図である。照明装置１００は、光源１０２および点灯回路２００を備える。光源１０２は、ＬＥＤ、ＬＤ、有機ＥＬなどの半導体光源であり、供給される駆動電流（順電流）ＩＦに応じた輝度で発光する。なお、光源１０２は、直列に接続される複数のＬＥＤを含むＬＥＤバーであってもよい。点灯回路２００は、定電流（目標電流）に安定化された駆動電流ＩＤＲＶを生成し、光源１０２が点灯すべき期間において、駆動電流ＩＤＲＶを光源１０２に供給し、光源１０２を消灯すべき期間において、光源１０２に流れる電流を、点灯しきい値以下に抑制する。
【００３０】
点灯回路２００は、駆動回路２０２およびクランプ回路２１０を備える。クランプ回路２１０は、光源１０２を消灯すべき期間において、光源１０２の両端間電圧ＶＦをクランプレベルＶＣＬにクランプする。クランプレベルＶＣＬは、ゼロより大きく光源１０２の点消灯のしきい値電圧ＶＴＨより低く規定される。より詳しくは、クランプ回路２１０は、光源１０２の点消灯を指示する制御信号Ｓ１に応じてイネーブル（活性化）、ディセーブル（不活性化）が切りかえ可能に構成される。制御信号Ｓ１は、点灯回路２００の内部で生成されてもよいし、外部から供給されてもよい。
【００３１】
クランプ回路２１０は、制御信号Ｓ１が、第１レベル（点灯レベル）であるときにディセーブルとなり、光源１０２や駆動回路２０２には電気的に作用しない状態となる。クランプ回路２１０は、ディセーブル状態で、ハイインピーダンス状態となってもよい。
【００３２】
クランプ回路２１０は、制御信号Ｓ１が、第２レベル（消灯レベル）であるときにイネーブル状態となり、光源１０２の両端間電圧ＶＦを、クランプレベルＶＣＬにクランプする。これを第１機能という。
【００３３】
図３は、光源１０２のＩ／Ｖ特性を示す図である。横軸は光源１０２の両端間電圧、すなわち順方向電圧ＶＦであり、縦軸は順電流ＩＦを示す。光源１０２がＬＥＤである場合、順方向電圧ＶＦがオン電圧ＶＯＮより低い領域において、順電流ＩＦは実質的にゼロであり、光源１０２は消灯とみなせる。順方向電圧ＶＦがオン電圧ＶＯＮより高い領域においては、順電流ＩＦは順方向電圧ＶＦに応じて増加し、光源１０２は順電流ＩＦに応じた輝度で発光する。したがって、光源１０２がＬＥＤの場合には、しきい値電圧ＶＴＨは、オン電圧ＶＯＮと対応付けることができる。
【００３４】
なお、しきい値電圧ＶＴＨは、光源１０２の点灯状態と消灯状態の境界であるところ、ここでの消灯状態は、光源１０２から放射される光子が完全にゼロであることを要求するものでない。たとえば、光源１０２の光量が多階調制御される場合、１ＬＳＢに相当する光量よりも、十分に少ない光子を放出する状態は、消灯状態とみなすことができる。あるいは、人間が知覚できる光量よりも少ない光子を放出する状態を、消灯状態とみなすこともできる。
【００３５】
図３において、ＶＯＮ＝ＶＴＨとすると、クランプレベルＶＣＬは、０Ｖとオン電圧ＶＯＮの間に設定される。
【００３６】
以上が点灯回路２００の構成である。続いてその動作を説明する。
図４は、図２の点灯回路２００の動作波形図である。時刻ｔ０より前において制御信号Ｓ１は点灯レベル（ハイレベル）であり、クランプ回路２１０はディセーブル状態（ＤＩＳ）である。このとき光源１０２の順電流ＩＦは、駆動回路２０２が生成する駆動電流ＩＤＲＶと等しくなり、光源１０２は、駆動電流ＩＤＲＶに応じた輝度で発光する。順方向電圧ＶＦは、駆動電流ＩＤＲＶに相当する電圧レベルＶＯＮである。
【００３７】
時刻ｔ０に制御信号Ｓ１が消灯レベル（ローレベル）に遷移すると、クランプ回路２１０がイネーブル状態（ＥＮ）となる。クランプ回路２１０がイネーブル状態となると、光源１０２の両端間電圧（順方向電圧）ＶＦはクランプレベルＶＣＬにクランプされる。クランプ回路２１０の動作遅延によって、順方向電圧ＶＦは、ある傾きでクランプレベルＶＣＬに向かって低下していき、光源１０２の順電流ＩＦ、すなわち輝度も、時間と共に減少していく。光源１０２が生成する駆動電流ＩＤＲＶと順電流ＩＦの差分は、クランプ回路２１０に流れることに留意されたい。
【００３８】
時刻ｔ１に順方向電圧ＶＦがしきい値電圧ＶＴＨと交差すると、順電流ＩＦがゼロとなり、光源１０２が消灯する。その後、時刻ｔ２に順方向電圧ＶＦがクランプレベルＶＣＬに到達し、その後、同じ電圧レベルを維持する。
【００３９】
時刻ｔ３に制御信号Ｓ１が点灯レベル（ハイレベル）に遷移すると、クランプ回路２１０がディセーブル状態（ＤＩＳ）となる。クランプ回路２１０がディセーブル状態となると、光源１０２の順方向電圧ＶＦのクランプが解除され、消灯期間においてクランプ回路２１０に流れていた駆動電流ＩＤＲＶが、光源１０２に流れ、順方向電圧ＶＦは、もとの電圧レベルＶＯＮに向かって増大していく。ＶＣＬ＜ＶＦ＜ＶＴＨである時刻ｔ３〜ｔ４の間、順電流ＩＦは実質的にゼロであり、光源１０２は消灯している。
【００４０】
順方向電圧ＶＦがしきい値電圧ＶＴＨと交差する時刻ｔ４以降、順電流ＩＦが流れ初め、光源１０２の輝度が増大する。そして時刻ｔ５に、駆動電流ＩＤＲＶのすべてが光源１０２に流れるようになり、順電流ＩＦが駆動電流ＩＤＲＶと等しくなる。
【００４１】
以上が点灯回路２００の動作である。点灯回路２００の利点は、図１の点灯回路１１００との対比によって明確となる。図５は、図１の点灯回路１１００の動作波形図である。
【００４２】
時刻ｔ１０より前において制御信号Ｓ１は点灯レベル（ハイレベル）であり、バイパススイッチ１１０４はオフであり、駆動回路２０２が生成する駆動電流ＩＤＲＶは、光源１００２に流れ、光源１００２は、駆動電流ＩＤＲＶに応じた輝度で発光する。順方向電圧ＶＦは、駆動電流ＩＤＲＶに相当する電圧レベルＶＯＮである。
【００４３】
時刻ｔ１０に制御信号Ｓ１が消灯レベル（ローレベル）に遷移すると、バイパススイッチ１１０４がオンする。これにより、それまで光源１００２に流れていた駆動電流ＩＤＲＶがバイパススイッチ１１０４に流れ、順電流ＩＦが減少する。
【００４４】
時刻ｔ１１に順方向電圧ＶＦがしきい値電圧ＶＴＨと交差すると、順電流ＩＦがゼロとなり、光源１００２が消灯する。その後、時刻ｔ１２に順方向電圧ＶＦがゼロ（０Ｖ）まで低下する。
【００４５】
時刻ｔ１３に制御信号Ｓ１が点灯レベル（ハイレベル）に遷移すると、バイパススイッチ１１０４がオフし、消灯期間においてバイパススイッチ１１０４に流れていた駆動電流ＩＤＲＶが、光源１００２に流れ、順方向電圧ＶＦは、もとの電圧レベルＶＯＮに向かって増大していく。０＜ＶＦ＜ＶＴＨである時刻ｔ１３〜ｔ１４の間、順電流ＩＦは実質的にゼロであり、光源１００２は消灯している。
【００４６】
順方向電圧ＶＦがしきい値電圧ＶＴＨと交差する時刻ｔ１４以降、順電流ＩＦが流れ初め、光源１００２の輝度が増大する。そして時刻ｔ１５に、駆動電流ＩＤＲＶのすべてが光源１００２に流れるようになり、順電流ＩＦが駆動電流ＩＤＲＶと等しくなる。
【００４７】
以上が図１の点灯回路１１００の動作である。図１の点灯回路１１００では、制御信号Ｓ１が点灯レベルに遷移した時刻ｔ１３から、順方向電圧ＶＦがしきい値電圧ＶＴＨに到達する時刻ｔ１４までの期間（点灯不能期間と称する）τ０、順電流ＩＦはゼロであり、光源１００２を点灯させることができない。
【００４８】
制御信号Ｓ１の周期（スイッチング周期ＴＰ）が短くなるにしたがい、言い換えればスイッチング周波数が高くなるにしたがって、点灯不能期間τ０が周期ＴＰに占める割合が高くなる。言い換えれば、スイッチング周期ＴＰは点灯不能期間τ０の制約を受ける。
【００４９】
なお、図５における点灯不能期間τ０の長さは、順方向電圧ＶＦの上昇速度（スルーレートＳＲ０）を用いて、
τ０＝ＶＴＨ／ＳＲ０
と近似できる。
【００５０】
図４に戻る。図４において、時刻ｔ３〜ｔ４が点灯不能期間τ１に相当する。点灯不能期間τ１の長さは、順方向電圧ＶＦの上昇速度（スルーレートＳＲ１）を用いて、
τ１＝（ＶＴＨ−ＶＣＬ）／ＳＲ１
と近似できる。仮に、図４と図５のスルーレートが等しい（ＳＲ０＝ＳＲ１）とすると、図４の点灯不能期間τ１は、図５の点灯不能期間τ０より短くなる。
【００５１】
このように、図２の点灯回路２００によれば、光源１０２を消灯から点灯に切りかえる際の点灯不能期間τを短くできるため、高速なスイッチングが可能となる。
【００５２】
また、駆動回路２０２から見たときの負荷変動を小さくできるため、駆動回路２０２の設計上の制約を緩和でき、したがって駆動回路２０２の設計が容易となる。
【００５３】
たとえば駆動回路２０２は、出力電流が定電流制御されるスイッチングコンバータ（スイッチモード電源）で構成することができる。定電流出力のスイッチングコンバータには、出力電圧の変動にかかわらず、出力電流を一定に保つ機能が要求される。出力電圧が高速にかつ大振幅で変動する用途では、スイッチングコンバータに要求される応答速度が非常に速くなり、その設計は困難を極める。クランプ回路２１０の第１機能によって、出力電圧の変動幅が小さくなるため、スイッチングコンバータの設計が容易となるという利点もある。駆動回路２０２をリニア電源で構成することも可能であるが、この場合であっても、同様のメリットを享受できる。
【００５４】
点灯不能期間τ１は、消灯期間と点灯期間における順方向電圧ＶＦの変動幅ΔＶ（＝ＶＴＨ−ＶＣＬ）を小さくするほど短くなる。したがって、スイッチング周波数を高めるためには、クランプレベルＶＣＬを、しきい値電圧ＶＴＨを超えない範囲において可能な限り高く設定することが好ましい。この観点から、クランプレベルＶＣＬは、しきい値電圧ＶＴＨの１／３より高く、より好ましくはしきい値電圧ＶＴＨの１／２より高く定めることが望ましい。
【００５５】
その反面、クランプレベルＶＣＬを高くしすぎると、しきい値電圧ＶＴＨのばらつきや温度変動によって、消灯期間において光源１０２が誤点灯するおそれがある。この観点から、クランプレベルＶＣＬは、しきい値電圧ＶＴＨの４／５より低く、より好ましくはしきい値電圧ＶＴＨの３／４より低く定めることが望ましい。
【００５６】
続いて、クランプ回路２１０のより好ましい機能（第２機能）を説明する。クランプ回路２１０は光源１０２の消灯指示（即ち制御信号Ｓ１のネガエッジ）に応答して直ちに、光源１０２の両端間電圧ＶＦを実質的にゼロまで低下させる。クランプ回路２１０は、その後、光源１０２の点灯より前に、両端間電圧ＶＦをクランプレベルＶＣＬにクランプする（第１機能）。
【００５７】
図６は、第２機能を備える点灯回路の動作波形図である。時刻ｔ０において制御信号Ｓ１が消灯レベルに切りかわると、光源１０２の両端間電圧ＶＦは直ちにゼロ（０Ｖ）まで低下する。これにより、順電流ＩＦは直ちにゼロまで低下する。
【００５８】
その後、制御信号Ｓ１が点灯レベルに切り替わる時刻ｔ３に先立つ時刻ｔ２において、光源１０２の両端間電圧ＶＦは、クランプレベルＶＣＬに戻される。
【００５９】
このように、第２機能を備えるクランプ回路２１０によれば、光源１０２を高速に消灯することができる。
【００６０】
本発明は、図２のブロック図や回路図として把握され、あるいは上述の説明から導かれるさまざまな装置、回路に及ぶものであり、特定の構成に限定されるものではない。以下、本発明の範囲を狭めるためではなく、発明の本質や回路動作の理解を助け、またそれらを明確化するために、より具体的な構成例や変形例を説明する。
【００６１】
（第１構成例）
図７は、図２の点灯回路２００の第１構成例（２００Ａ）の回路図である。クランプ回路２１０Ａは、上述の第１機能を備える。クランプ回路２１０Ａは、光源１０２と並列な第１経路２１２の上に、直列に設けられた第１スイッチＳＷ１およびクランプ抵抗２１４を含む。第１スイッチＳＷ１のオンが、クランプ回路２１０Ａのイネーブル状態に、第１スイッチＳＷ１のオフがクランプ回路２１０Ａのディセーブル状態に対応する。
【００６２】
第１経路２１２の抵抗値をＲ１、駆動回路２０２が生成する駆動電流をＩＤＲＶとするとき、イネーブル状態において、第１経路２１２の両端間の電圧は、Ｒ１×ＩＤＲＶとなる。つまり、クランプレベルＶＣＬは、以下の式で与えられる。
ＶＣＬ＝Ｒ１×ＩＤＲＶ
したがって、０＜Ｒ１×ＩＤＲＶ＜ＶＴＨが成り立っていればよい。
第１経路２１２の抵抗値Ｒ１は、クランプ抵抗２１４の抵抗値と、第１スイッチＳＷ１の抵抗値の和である。
【００６３】
クランプ回路２１０Ａは、コントローラ２２０をさらに含んでもよい。コントローラ２２０は、制御信号Ｓ１にもとづいて第１スイッチＳＷ１のオン、オフを制御する。具体的にはコントローラ２２０は、制御信号Ｓ１が点灯レベルのときに第１スイッチＳＷ１をオフし、制御信号Ｓ１が消灯レベルのときに第１スイッチＳＷ１をオンする。
【００６４】
図７の点灯回路２００Ａによれば、図４の動作を実現できる。
【００６５】
（第２構成例）
図８は、図２の点灯回路２００の第２構成例（２００Ｂ）の回路図である。クランプ回路２１０Ｂは、上述の第１機能および第２機能を備える。クランプ回路２１０Ｂは、図７のクランプ回路２１０Ａに加えて、光源１０２と並列な第２経路２１６の上に設けられた第２スイッチＳＷ２をさらに備える。
【００６６】
コントローラ２２０は、光源１０２の消灯期間（制御信号Ｓ１が消灯レベル）において第１スイッチＳＷ１をオンし、光源１０２の点灯期間（制御信号Ｓ１が点灯レベル）において第１スイッチＳＷ１をオフする。またコントローラ２２０は、光源１０２の消灯指示（すなわち制御信号Ｓ１の対応するエッジ）を契機として直ちに第２スイッチＳＷ２をターンオンし、その後、光源１０２の点灯指示に先立って第２スイッチＳＷ２をターンオフする。たとえば点灯レベルがハイであるとき、コントローラ２２０は、制御信号Ｓ１のネガエッジをトリガとして、ごく短い間、第２スイッチＳＷ２をターンオンしてもよい。あるいはコントローラ２２０は、制御信号Ｓ１のネガエッジから所定時間の間、第２スイッチＳＷ２をオンしてもよい。
【００６７】
図８の点灯回路２００Ｂによれば、図５の動作を実現できる。
【００６８】
図９（ａ）、（ｂ）は、図８のクランプ回路２１０Ｂの具体的な構成例を示す回路図である。第１スイッチＳＷ１、第２スイッチＳＷ２はいずれもＮチャンネルＭＯＳＦＥＴ（Metal Oxide Semiconductor Field Effect Transistor）である。なお、第１スイッチＳＷ１、第２スイッチＳＷ２をバイポーラトランジスタやＩＧＢＴ（Insulated Gate Bipolar Transistor）で構成してもよい。
【００６９】
図９（ａ）を参照する。＃Ｓ１は、制御信号Ｓ１の反転信号であり、消灯レベルがハイ、点灯レベルがローの信号である。第１ドライバ２２２は、制御信号＃Ｓ１にもとづいて第１スイッチＳＷ１を駆動する。微分器２２６は、制御信号Ｓ１を微分する。たとえば微分器２２６は、ハイパスフィルタで構成してもよく、たとえば信号経路上に設けられたキャパシタを含んでもよい。微分器２２６の出力は、制御信号＃Ｓ１のポジエッジによって上昇し、すぐにゼロに戻る。第２ドライバ２２４は微分器２２６の出力にもとづいて第２スイッチＳＷ２を駆動する。
【００７０】
図９（ａ）において、微分器２２６と第２ドライバ２２４を入れ替えてもよい。
また図９（ａ）において、第２ドライバ２２４を省略し、第１ドライバ２２２の出力をそのまま第１スイッチＳＷ１のゲートに供給し、第１ドライバ２２２の出力を微分器２２６を介して第２スイッチＳＷ２のゲートに供給してもよい。
【００７１】
図９（ｂ）を参照する。第１ドライバ２２３は、制御信号Ｓ１にもとづいて第１スイッチＳＷ１を駆動する。エッジ検出器２２８は、制御信号Ｓ１の消灯指示に対応するエッジ（消灯レベルがローであるとき、ポジエッジ）を検出し、検出したエッジから所定時間、ハイレベルとなるエッジ検出信号Ｓ２を生成する。第２ドライバ２２４は、エッジ検出信号Ｓ２に応じて第２スイッチＳＷ２を駆動する。
【００７２】
図１０（ａ）〜（ｅ）は、クランプ回路２１０の変形例を示す回路図である。ここでは、第１機能に関連する部分のみを示す。図１０（ａ）のクランプ回路２１０においてクランプ抵抗は省略され、第１スイッチＳＷ１として、クランプ抵抗の抵抗値に相当する大きいオン抵抗ＲＯＮを有するＭＯＳＦＥＴを用いてもよい。すなわちオン抵抗ＲＯＮが、第１経路２１２の抵抗値Ｒ１となり、ＲＯＮ×ＩＤＲＶが、クランプレベルＶＣＬとなる。
【００７３】
図１０（ｂ）のクランプ回路２１０において、第１経路２１２の上には、ダイオード２１５と第１スイッチＳＷ１が直列に設けられる。ダイオード２１５には、駆動電流ＩＤＲＶが流れることにより、実質的に一定の順方向電圧ＶＣが発生する。第１スイッチＳＷ１のオン抵抗が十分に小さいときには、ＶＣＬ＝ＶＣとなる。第１スイッチＳＷ１のオン抵抗ＲＯＮが大きい場合、ＶＣＬ＝ＶＣ＋ＩＤＲＶ×ＲＯＮとなる。
【００７４】
図１０（ｃ）のクランプ回路２１０において、第１経路２１２の上には、ツェナーダイオード２１７と第１スイッチＳＷ１が直列に設けられる。ツェナーダイオード２１７には、駆動電流ＩＤＲＶが流れることにより、実質的に一定のツェナー電圧ＶＺが発生する。第１スイッチＳＷ１のオン抵抗が十分に小さいときには、ＶＣＬ＝ＶＺとなる。第１スイッチＳＷ１のオン抵抗ＲＯＮが大きい場合、ＶＣＬ＝ＶＺ＋ＩＤＲＶ×ＲＯＮとなる。
【００７５】
図１０（ｄ）のクランプ回路２１０では、クランプ抵抗２１４の抵抗値をＲ１とすると、ＶＣＬ＝ＶＣ＋（Ｒ１＋ＲＯＮ）ＩＤＲＶである。図１０（ｅ）のクランプ回路２１０では、クランプ抵抗２１４の抵抗値をＲ１とすると、ＶＣＬ＝ＶＺ＋（Ｒ１＋ＲＯＮ）ＩＤＲＶである。
【００７６】
まとめると、クランプ回路２１０は、抵抗、ダイオード、ツェナーダイオードの任意の組み合わせで構成することができる。
【００７７】
（第３構成例）
図１１は、図２の点灯回路２００の第３構成例（２００Ｃ）の回路図である。クランプ回路２１０Ｃは、上述の第１機能および第２機能を備える。クランプ回路２１０Ｃは、光源１０２と並列な第１経路２１２の上に設けられたシャントトランジスタＭ３と、トランジスタ制御回路２３０と、を含む。トランジスタ制御回路２３０は、制御信号Ｓ１が消灯レベルであるとき、つまりクランプ回路２１０Ｃのイネーブル状態において、光源１０２の両端間電圧がゼロより大きく光源の点消灯のしきい値電圧ＶＴＨより低く規定されるクランプレベルとなるように、シャントトランジスタＭ３の制御端子の電圧（ゲート電圧、ベース電圧）ＶＣＮＴを調節する。シャントトランジスタＭ３は、ＭＯＳＦＥＴであってもよいし、バイポーラトランジスタであってもよいし、ＩＧＢＴ（Insulated Gate Bipolar Transistor）であってもよい。トランジスタ制御回路２３０は、制御信号Ｓ１が点灯レベルであるとき、つまりクランプ回路２１０Ｃのディセーブル状態において、シャントトランジスタＭ３をオフする。
【００７８】
図１２は、図１１のクランプ回路２１０Ｃの第１構成例を示す回路図である。図１２のトランジスタ制御回路２３０は、フィードバック回路２３２、第３スイッチＳＷ３、第４スイッチＳＷ４を含む。
【００７９】
フィードバック回路２３２は、クランプレベルの目標電圧ＶＲＥＦと光源１０２の両端間を示すフィードバック電圧ＶＦＢを受け、フィードバックにより光源１０２の両端間の電圧ＶＦをクランプレベルＶＣＬに近づける。フィードバック回路２３２の構成は限定されず、アナログのエラーアンプで構成してもよいし、デジタルのフィードバック回路（ＰＩコントローラやＰＩＤコントローラ）と、Ａ／Ｄコンバータ構成してもよい。フィードバック回路２３２とシャントトランジスタＭ３は、シャントレギュレータと把握できる。
【００８０】
第３スイッチＳＷ３は、シャントトランジスタＭ３の制御端子（ゲート）と所定のロー電圧ＶＬが供給されるロー電圧端子２３３の間に設けられる。なお第３スイッチＳＷ３は、図１４に示すようにシャントトランジスタＭ３の制御端子（ゲート）と光源１０２の低電位側の一端（カソード）の間に設けてもよい。
【００８１】
第４スイッチＳＷ４は、シャントトランジスタＭ３の制御端子（ゲート）と所定のハイ電圧ＶＨが供給されるハイ電圧端子２３４の間に設けられる。なお第４スイッチＳＷ４は、図１４に示すようにシャントトランジスタＭ３の制御端子（ゲート）と光源１０２の高電位側の一端（アノード）の間に設けてもよい。
【００８２】
制御信号Ｓ１は、フィードバック回路２３２のオン、オフを指示する信号Ｓ１Ａ、第３スイッチＳＷ３のオン、オフを指示する信号Ｓ１Ｂ、第４スイッチＳＷ４のオン、オフを指示する信号Ｓ１Ｃを含む。フィードバック回路２３２は、信号Ｓ１Ａがハイレベルのときイネーブル状態、ローレベルのときディセーブル状態となるよう構成される。
【００８３】
図１３は、図１２のクランプ回路２１０Ｃの動作波形図である。時刻ｔ０より前において制御信号Ｓ１は点灯レベル（ハイレベル）である。具体的には、制御信号Ｓ１Ａ，Ｓ１Ｂ，Ｓ１Ｃは、フィードバック回路２３２がディセーブル状態、第３スイッチＳＷ３がオン状態、第４スイッチＳＷ４がオフ状態となるように生成される。これによりシャントトランジスタＭ３のゲート電圧ＶＣＮＴはロー電圧ＶＬとなり、シャントトランジスタＭ３はオフ状態となる。これはクランプ回路２１０Ｃのディセーブル状態（ＤＩＳ）に対応する。このとき光源１０２の順電流ＩＦは、駆動回路２０２が生成する駆動電流ＩＤＲＶと等しくなり、光源１０２は、駆動電流ＩＤＲＶに応じた輝度で発光する。順方向電圧ＶＦは、駆動電流ＩＤＲＶに相当する電圧レベルＶＯＮである。
【００８４】
時刻ｔ０に制御信号Ｓ１が消灯レベル（ローレベル）に遷移する。制御信号Ｓ１Ａ，Ｓ１Ｂ，Ｓ１Ｃは、フィードバック回路２３２がディセーブル状態、第３スイッチＳＷ３がオフ状態、第４スイッチＳＷ４がオン状態となるように生成される。これによりシャントトランジスタＭ３のゲート電圧ＶＣＮＴは直ちにハイ電圧ＶＨに変化し、シャントトランジスタＭ３がターンオンする。これにより順電流ＩＦは直ちにゼロまで低下し、光源１０２が消灯する。
【００８５】
続く時刻ｔ２に、制御信号Ｓ１Ａ，Ｓ１Ｂ，Ｓ１Ｃは、フィードバック回路２３２がイネーブル状態、第３スイッチＳＷ３がオフ状態、第４スイッチＳＷ４がオフ状態となるように生成される。フィードバック回路２３２のフィードバック制御により、光源１０２の両端間電圧ＶＦがクランプレベルＶＣＬに近づくように、ゲート電圧ＶＣＮＴが調節される。
【００８６】
時刻ｔ３に制御信号Ｓ１が点灯レベル（ハイレベル）に遷移する。制御信号Ｓ１Ａ，Ｓ１Ｂ，Ｓ１Ｃは、フィードバック回路２３２がディセーブル状態、第３スイッチＳＷ３がオン状態、第４スイッチＳＷ４がオフ状態となるように生成される。第３スイッチＳＷ３のオンにより、シャントトランジスタＭ３がターンオフし、光源１０２の順方向電圧ＶＦのクランプが解除され、消灯期間においてシャントトランジスタＭ３に流れていた駆動電流ＩＤＲＶが、光源１０２に流れ、順方向電圧ＶＦは、もとの電圧レベルＶＯＮに向かって増大していく。
【００８７】
順方向電圧ＶＦがしきい値電圧ＶＴＨと交差する時刻ｔ４以降、順電流ＩＦが流れ初め、光源１０２の輝度が増大する。そして時刻ｔ５に、駆動電流ＩＤＲＶのすべてが光源１０２に流れるようになり、順電流ＩＦが駆動電流ＩＤＲＶと等しくなる。
【００８８】
以上が図１２のクランプ回路２１０Ｃの動作である。このクランプ回路２１０Ｃによれば、上述の第１機能および第２機能を実現できる。
【００８９】
なお図１２において、トランジスタ制御回路２３０がその出力電圧ＶＣＮＴを高速にハイ電圧ＶＨに遷移させることが可能である場合には、第４スイッチＳＷ４を省略してもよい。またトランジスタ制御回路２３０がその出力電圧ＶＣＮＴを高速にロー電圧ＶＬに遷移させることが可能である場合には、第３スイッチＳＷ３を省略してもよい。
【００９０】
図１４は、図１１のクランプ回路２１０Ｃの第２構成例を示す回路図である。図１４のクランプ回路２１０Ｃは、図１２のフィードバック回路２３２に代えて、定電圧回路２３６を含む。定電圧回路２３６は、シャントトランジスタＭ３の制御端子（ゲート）と高電位側の一端（ドレイン）の間に設けられ、シャントトランジスタＭ３のゲートドレイン間の電圧を一定に保持する。ただし定電圧回路２３６の能力は第３スイッチＳＷ３および第４スイッチＳＷ４の能力よりも低く、したがって第３スイッチＳＷ３、第４スイッチＳＷ４のいずれかがオンのときには、定電圧回路２３６の作用は見えなくなる。
【００９１】
定電圧回路２３６の構成は特に限定されないが、たとえば直列に接続された複数（ｎ個）のダイオードと、抵抗を含んでもよい。この場合、クランプレベルＶＣＬは、
ＶＣＬ＝（Ｖｔｈ（ｇｓ）＋Ｖｆ×ｎ＋ＶＲ）となる。
Ｖｆはダイオードの順方向電圧であり、Ｖｔｈ（ｇｓ）はシャントトランジスタＭ３のゲートソース間のしきい値電圧である。
【００９２】
図１４では、ハイ電圧ＶＨは光源１０２のアノード電圧（シャントトランジスタＭ３のドレイン電圧）であり、ロー電圧ＶＬは光源１０２のカソード電圧（シャントトランジスタＭ３のソース電圧）となっている。なお図１２に示すように、ハイ電圧ＶＨを任意の所定電圧とし、ロー電圧ＶＬを接地としてもよい。
【００９３】
続いて図１４のクランプ回路２１０Ｃの動作を説明する。動作波形図は図１３において制御信号Ｓ１Ａを無視したものと同様となる。図１４のクランプ回路２１０Ｃによれば、図１２のクランプ回路２１０Ｃと同様の効果が得られる。
【００９４】
（用途）
続いて点灯回路２００の用途を説明する。図２の照明装置１００は、車両用灯具として利用することができる。図１５（ａ）〜（ｄ）は、点灯回路２００を備える車両用灯具を示す図である。図１５（ａ）の車両用灯具３００Ａは、光源３０２の出射光をスキャンさせるスキャン方式の灯具である。車両用灯具３００Ａは、点灯回路２００、光源３０２およびスキャン装置３０４を備える。スキャン装置３０４は、モータおよび反射体（ブレード）を備える。光源３０２の出射光は、ブレードによって反射され、車両前方で走査される。ブレードの周期運動と同期して、光源３０２の出射光を調光し、あるいは高速にスイッチングすることにより、任意の配光パターンを実現でき、あるいは路面描画が可能となる。
【００９５】
図１５（ｂ）の車両用灯具３００Ｂもまた、光源３０２の出射光をスキャンさせるスキャン方式の灯具である。車両用灯具３００Ｂは、点灯回路２００、光源３０２およびスキャン装置３０６を備える。スキャン装置３０６は、モータおよびガルバノミラーを備える。
【００９６】
図１５（ｃ）の車両用灯具３００Ｃは、点灯回路２００、光源３０２およびパターン形成装置３０８を備える。パターン形成装置３０８は、複数の画素を備えるＤＭＤ（デジタルミラーデバイス）である。ＤＭＤの各画素は個別にオン、オフが切りかえ可能となっている。光源３０２の出射光は、パターン形成装置３０８によって反射され、反射光は、ＤＭＤの画素の状態に応じたパターンを有する。
【００９７】
図１５（ｄ）の車両用灯具３００Ｄは、点灯回路２００、光源３０２および光源３０２の向きを制御するアクチュエータ３１０を備える。アクチュエータ３１０によって光源３０２の向きを周期的に変化させることで、光源３０２の出射光をスキャンできる。
【００９８】
図１６（ａ）、（ｂ）は、点灯回路２００を備える車両用灯具の回路図である。図１６（ａ）の車両用灯具３００Ｅは、第１光源３１２、第２光源３１４および点灯回路２００を備える。たとえば第１光源３１２はロービーム、第２光源３１４はハイビームである。点灯回路２００は、駆動回路２０２とクランプ回路２１０を備える。第２光源３１４は、上述の光源１０２に対応しており、クランプ回路２１０は、第２光源３１４の両端間に接続される。
【００９９】
図１６（ｂ）の車両用灯具３００Ｆは、複数Ｎ個の光源３１６＿１〜３１６＿Ｎと、点灯回路２００を備える。複数の光源３１６は、車両前方の異なる位置を照射する。点灯回路２００は、駆動回路２０２と、複数のクランプ回路２１０＿１〜２１０＿Ｎを備える。各クランプ回路２１０＿ｉは、対応する光源３１６＿ｉの両端間に接続される。各クランプ回路２１０＿ｉには、対応する光源３１６＿ｉの点消灯を指示する制御信号Ｓ１＿ｉが入力される。
【０１００】
これまでの説明では、単一の光源１０２を備える照明装置１００を説明したが、複数の光源の駆動にも本発明は適用可能である。
【０１０１】
図１７は、複数の光源１０２を備える照明装置１００Ｄのブロック図である。照明装置１００Ｄは、複数の光源１０２＿１〜１０２＿Ｎと、その点灯回路２００Ｄを備える。光源１０２はたとえばＬＥＤやＬＤであり、複数の光源１０２＿１〜１０２＿Ｎは直列に接続される。
【０１０２】
点灯回路２００Ｄは、複数のシャントトランジスタＭ３、駆動回路２０２、複数のインタフェース回路２０４＿１〜２０４＿Ｎ、発振器２０６、マイコン２０８を備える。
【０１０３】
各シャントトランジスタＭ３は、対応する光源１０２の両端間に接続される。また各インタフェース回路２０４は、対応するシャントトランジスタＭ３を駆動する。インタフェース回路２０４は図１１のクランプ回路２１０Ｃに対応する。
【０１０４】
マイコン２０８は、点灯回路２００Ｄを統合的に制御するコントローラであり、図示しない車両側のＥＣＵからの情報にもとづいて、複数の光源１０２＿１〜１０２＿Ｎそれぞれの点消灯を制御する。
【０１０５】
光源１０２＿１、インタフェース回路２０４＿１およびマイコン２０８に着目する。インタフェース回路２０４は、第３スイッチＳＷ３、第４スイッチＳＷ４、レギュレータ２４０、チャージポンプ２４２を含む。レギュレータ２４０およびマイコン２０８は、図１２のフィードバック回路２３２に相当する。すなわちフィードバック回路２３２は、デジタルの制御部と、アナログの出力部で構成され、前者がマイコン２０８に、後者がレギュレータ２４０に対応する。マイコン２０８には、シャントトランジスタＭ３のドレイン電圧を分圧して得られるフィードバック電圧ＶＦＢがフィードバックされており、フィードバック電圧ＶＦＢが、クランプレベルＶＣＬを規定する目標電圧に近づくように、電圧指令値ＳＲＥＦを生成する。レギュレータ２４０は、電圧指令値ＳＲＥＦに応じた制御電圧ＶＣＮＴを、シャントトランジスタＭ３の制御端子に発生する。チャージポンプ２４２は、発振器２０６からのクロック信号を受け、昇圧動作を行い、ハイ電圧ＶＨを生成する。
【０１０６】
この照明装置１００Ｄによれば、複数の光源１０２＿１〜１０２＿Ｎの点消灯を独立に制御できる。インタフェース回路２０４は、上述した任意のクランプ回路２１０で構成することが可能である。
【０１０７】
実施の形態にもとづき、具体的な語句を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【０１０８】
１００…照明装置、１０２…光源、２００…点灯回路、２０２…駆動回路、２０４…インタフェース回路、２０６…発振器、２０８…マイコン、２１０…クランプ回路、２１２…第１経路、ＳＷ１…第１スイッチ、２１４…クランプ抵抗、２１６…第２経路、ＳＷ２…第２スイッチ、２２０…コントローラ、２３０…トランジスタ制御回路、Ｍ３…シャントトランジスタ、２３２…フィードバック回路、２３３…ロー電圧端子、２３４…ハイ電圧端子、ＳＷ３…第３スイッチ、ＳＷ４…第４スイッチ、２４０…レギュレータ、２４２…チャージポンプ、２３６…定電圧回路、３００…車両用灯具。
【図１】
2018098165.tif 000003
【図２】
2018098165.tif 000004
【図３】
2018098165.tif 000005
【図４】
2018098165.tif 000006
【図５】
2018098165.tif 000007
【図６】
2018098165.tif 000008
【図７】
2018098165.tif 000009
【図８】
2018098165.tif 000010
【図９】
2018098165.tif 000011
【図１０】
2018098165.tif 000012
【図１１】
2018098165.tif 000013
【図１２】
2018098165.tif 000014
【図１３】
2018098165.tif 000015
【図１４】
2018098165.tif 000016
【図１５】
2018098165.tif 000017
【図１６】
2018098165.tif 000018
【図１７】
2018098165.tif 000019